(57)【要約】【解決手段】注ぎ込み式フレームを形成するために他の対応する装置と結合可能な装置は、パネルの第１の端部と、前記第１の端部の反対側の前記パネルの第２の端部と、前記パネルの上部と、前記上部の反対側の前記パネルの下部と、の間に、本体を有するパネルを含む。前記パネルの前記第１の端部は、幅を有するスロットを含む。前記パネルの前記第２の端部は、領域とロックを有する舌部を含む。前記舌部の領域は、前記スロットの幅よりも小さい厚さを有し、他の対応する装置の前記スロット内に延びるように構成されている。前記舌部のロックは、前記舌部の領域を前記他の対応する装置の前記スロットに保持するように動作可能である。前記パネルの下部は、容器の上に前記パネルを支持するために容器に接触するように動作可能なインターフェースを含む。前記装置が他の対応する装置と結合されて注ぎ込み式フレームを形成するとき、前記装置の舌部の領域は、前記他の対応する装置のスロット内に延び、前記装置の前記スロットは、他の対応する装置の舌部の領域を受け入れる。形成されると、注ぎ込み式フレームは、コーヒーの粉がフィルター内に配置されたコーヒーフィルターを保持するように動作可能であり、人は、コーヒーの粉に水を注いでドリップコーヒーを生成する。
2021536297.tif 000002
【特許請求の範囲】
【請求項１】
注ぎ込み式フレームを形成するために、他の対応する装置と結合可能な装置であって、
パネルの第１の端部と、前記第１の端部の反対側の前記パネルの第２の端部と、前記パネルの上部と、前記上部の反対側の前記パネルの下部と、の間に本体を有する前記パネルを備え、
前記第１の端部は、幅を有するスロットを含み、
前記第２の端部は、領域とロックを有する舌部を含み、前記領域は、前記スロットの幅よりも小さい厚さを有し、前記装置が他の対応する装置と結合されたときに、前記他の対応する装置のスロット内に延びるように構成され、前記ロックは、前記装置が前記他の対応する装置と結合されたときに、前記舌部の領域を前記他の対応する装置の前記スロット内に保持するように動作可能であり、
前記下部は、前記装置が他の対応する装置と結合されたときに、容器の上に前記パネルを支持するために容器に接触するように動作可能なインターフェースを含み、
前記装置が他の対応する装置と結合されて、コーヒーの粉が配置されたコーヒーフィルターを保持しながらコーヒーの粉に水を注ぐように動作可能な注ぎ込み式フレームを形成する際に、前記装置の舌部の前記領域が他の対応する装置の前記スロット内に延び、前記装置の前記スロットが他の対応する装置の舌部の領域を受け入れる、
ことを特徴とする装置。
【請求項２】
前記本体は、第１の側面と第２の側面を有し、それぞれが前記第１の端部、前記第２の端部、前記上部および前記下部によって囲まれ、それぞれの側面は他の側面と実質的に平行である、
請求項１に記載の装置。
【請求項３】
前記舌部のロックは、前記スロットの幅よりも小さい厚さを有している、
請求項１に記載の装置。
【請求項４】
前記第２の端部は、前記第２の端部と前記舌部との間に形成されたスロットを含み、前記舌部は、前記第２の端部に沿って前記装置のパネルの前記下部に向かって延びており、
前記装置が他の対応する装置と結合されたときに、前記他の対応する装置の前記スロット内に延びる前記舌部の領域は、前記第２の端部のスロットの端に位置している、
請求項１に記載の装置。
【請求項５】
前記舌部の領域が他の対応する装置の前記スロット内に延びるとき、前記舌部のロックは、前記他の対応する装置の側面に隣接して配置され、前記舌部が前記他の対応する装置の側面に対して相対的に移動するときに前記側面に接触して、２つの装置の分離を防止する、
請求項１に記載の装置。
【請求項６】
前記舌部の領域が他の対応する装置の前記スロット内に延びるとき、前記舌部のロックが前記他の対応する装置の側面に接触して、２つの装置の分離を防止する、
請求項１に記載の装置。
【請求項７】
前記パネルの第１の端部の前記スロットは、前記パネルの前記上部に位置する入口を有している、
請求項１に記載の装置。
【請求項８】
前記パネルの第１の端部の前記スロットは、前記パネルの第２の端部および前記下部に向かって延びている、
請求項１に記載の装置。
【請求項９】
前記パネルの第１の端部の前記スロットは、前記パネルの前記上部に位置する入口を有し、前記パネルの第２の端部および前記下部に向かって直線的に延びている、
請求項１に記載の装置。
【請求項１０】
前記パネルの第１の端部の前記スロットは、前記パネルの前記上部に位置する入口を有し、前記パネルの上部に対して60度の角度で、前記パネルの第２の端部および下部に向かって直線的に延びている、
請求項１に記載の装置。
【請求項１１】
前記パネルの第１の端部の前記スロットの幅は、スロットの長さにわたって一定である、
請求項１に記載の装置。
【請求項１２】
前記パネルの第２の端部は、前記パネルの下部に対して60度の角度で、前記パネルの舌部から前記パネルの前記下部まで延びている、
請求項１に記載の装置。
【請求項１３】
前記パネルの上部は長さを有し、前記パネルの下部は前記パネルの上部の長さよりも短い長さを有している、
請求項１に記載の装置。
【請求項１４】
前記パネルの上部は、前記第１の端部と前記第２の端部の間を直線的に延びている、
請求項１に記載の装置。
【請求項１５】
前記パネルの下部のインターフェースは、前記装置が他の対応する装置と結合して注ぎ込み式フレームを形成し、前記注ぎ込み式フレームが容器の上に配置されたときに、前記容器に挿入されるように構成された領域を含む、
請求項１に記載の装置。
【請求項１６】
コーヒーを淹れる方法であって、
装置を他の対応する装置と結合することにより、空洞を有する注ぎ込み式フレームを形成することを含み、
前記結合は、
装置のパネルの第２の端部に位置する前記装置の舌部の領域を、他の対応する装置の第１の端部のスロットに挿入することと、
前記装置のパネルの第１の端部のスロットに、他の対応する装置のパネルの第２の端部を受け入れることを含み、
前記注ぎ込み式フレームの前記空洞にコーヒーフィルターを配置することと、
前記注ぎ込み式フレームとコーヒーフィルターを容器の上に置くことと、
を含む方法。
【請求項１７】
装置のパネルの第２の端部に位置する前記装置の舌部の領域を、第２の対応する装置の第１の端部のスロットに挿入することと、
前記装置のパネルの第１の端部のスロットに、第３の対応する装置のパネルの第２の端部に位置する舌部の領域を受け入れることと、によって前記注ぎ込み式フレームが形成される、
請求項１６に記載の方法。
【請求項１８】
前記結合は、前記舌部の領域を前記他の対応する装置の前記スロット内に維持するために、前記舌部のロックが前記他の対応する装置の側面に接触することを含む、
を含む請求項１６に記載の方法。
【請求項１９】
前記フィルターにコーヒーの粉を入れることをさらに含む、請求項１６に記載の方法。
【請求項２０】
前記フィルターにコーヒーの粉を入れ、前記コーヒーの粉に水を注ぎ、水が前記コーヒーの粉に接触した後に前記フィルターを流れるようにすることを含む、
請求項１６に記載の方法。
【請求項２１】
前記装置のパネルの前記下部のインターフェースを容器に挿入して、前記注ぎ込み式フレームを前記容器の上に保持することをさらに含む、
請求項１６に記載の方法。
【請求項２２】
コーヒーを淹れるための注ぎ込み式フレームであって、
３つ以上の装置であって、それぞれが他の２つの装置と結合しており、
各装置は、
パネルの第１の端部と、前記第１の端部の反対側にある前記パネルの第２の端部と、前記パネルの上部と、前記上部の反対側にある前記パネルの下部との間に本体を有する前記パネルを含み、
前記第１の端部は、幅を有するスロットを含み、
前記第２の端部は、領域を有する舌部と、ロックとを含み、前記領域は前記スロットの幅よりも小さい厚さを有し、前記他の対応する装置の１つの前記スロット内に延び、前記ロックは、前記舌部の領域を前記他の対応する装置の前記スロット内に保持し、
前記下部は、前記注ぎ込みが前記容器の上に配置されたときに、前記パネルを前記容器に接触するように動作可能なインターフェースを含む、
注ぎ込み式フレーム。
【請求項２３】
結合されている３つ以上の装置のそれぞれが、同一のものである、
請求項２２に記載の注ぎ込み式フレーム。
【発明の詳細な説明】
【背景技術】
【０００１】
飲むためのコーヒーを作るまたは淹れるには、様々な方法がある。例えば、お湯の入った容器の中にコーヒーの粉を一定時間沈め、その後、容器の底で粉を分離させ、カップにコーヒーを注いで飲むフレンチプレスを使うことができる。あるいは、エスプレッソマシンでコーヒーの粉に高圧の湯をかけて、コーヒーを抽出して飲むこともできる。また、フィルターに入れたコーヒーの粉に単に湯を注ぎ、容器やカップにドリップすることもできる。
【０００２】
これら３つの一般的なコーヒーの淹れ方のうち、最も簡単で迅速な方法は、フィルターに入れたコーヒーの粉に単に湯を注ぐことである。フレンチプレスを使用するには、コーヒーをカップに注ぐ前に容器内のコーヒーの粉を分離するために、容器とフィルターを互いに専用に設計する必要がある。エスプレッソマシンを使用するには、水を加熱し、圧力をかけて抽出するために大きな力が必要である。このため、エスプレッソマシンは、かさばり、簡単に輸送できない特別な設計の機械である。しかし、フィルターを使用し、コーヒーの粉に単に湯を注いでドリップコーヒーを得るには、コーヒーの粉に水を注ぐ間フィルターとコーヒーの粉を保持するためのホルダーまたは漏斗が必要なだけである。
【０００３】
しかし、残念なことに、キャンプ用のバックパックや旅行中のデイパックにホルダーや漏斗を収納するとかさばるため、ホルダーや漏斗は持ち運ぶことが困難な場合がある。円錐形のホルダーや漏斗は、一般的なバックパックやデイパックの中で多くのスペースを占める。
【０００４】
そこで、コーヒーの粉を入れてお湯を注いでドリップコーヒーを作るためのホルダーや漏斗を簡単に組み立てることができ、コーヒーを飲むために淹れた後は簡単でコンパクトに保管するために簡単に分解できる装置が求められていた。
【発明の概要】
【課題を解決するための手段】
【０００５】
本発明の一態様では、装置が他の対応する装置と結合可能であり、注ぎ込み式フレームを形成する。装置は、パネルの第１の端部と、第１の端部の反対側のパネルの第２の端部と、パネルの上部と、上部の反対側のパネルの下部との間に本体を有するパネルを含む。パネルの第１の端部は、幅を有するスロットを含む。パネルの第２の端部は、領域とロックとを有する舌部を含む。舌部の領域は、スロットの幅よりも小さい厚さを有し、他の対応する装置のスロット内に延びるように構成されている。舌部のロックは、舌部の領域を他の対応する装置のスロット内に保持するように動作可能である。パネルの下部は、容器の上にパネルを支持するために容器に接触するように動作可能なインターフェースを含む。装置が他の対応する装置と結合されて注ぎ込み式フレームを形成するとき、装置の舌部の領域は、他の対応する装置のスロット内に延び、装置のスロットは、他の対応する装置の舌部の領域を受け入れる。形成された状態では、注ぎ込み式フレームは、ドリップコーヒーを生成するためにコーヒーの粉に水を注ぐ間、コーヒーの粉が配置されたコーヒーフィルターを保持するように動作可能である。いくつかの実施形態では、３つの対応する装置が一緒に結合されて、注ぎ込み式フレームを形成してもよい。しかし、他の実施形態では、２つ、または３つ以上の対応する装置が、一緒に結合されて注ぎ込み式フレームを形成してもよい。
【０００６】
１つ以上の他の対応する装置と結合されることができる装置の機能により、コーヒーを飲みたいときに注ぎ込み式フレームを形成し、終了したら注ぎ込み式フレームを分解するということが容易にできる。これにより、旅行の際に装置を簡単に梱包および／または保管することができる。これは、各装置がフラットまたは実質的にフラットなパネルである場合に特に当てはまる。コーヒーを飲みたいときには、各機器を結合して注ぎ込み式フレームを作り、湯を沸かし、注ぎ込み式フレームに入れたコーヒーの粉に湯を注げばよい。終了したら、装置同士の結合を解除して、一緒に、または別々に荷物の中に収納することができる。
【０００７】
本発明の別の態様では、コーヒーを淹れるための方法は、空洞を含む注ぎ込み式フレームを形成することと、注ぎ込み式フレームの空洞にコーヒーフィルターを配置することと、注ぎ込み式フレームおよびコーヒーフィルターを容器の上に置くこととを含む。注ぎ込み式フレームを形成することは、以下の方法で装置を他の対応する装置に結合することを含む。１）装置のパネルの第２の端部に位置する装置の舌部の領域を、他の対応する装置の第１の端部のスロットに挿入する。２）装置のパネルの第１の端部のスロットに、他の対応する装置のパネルの第２の端部に位置する舌部の領域を受け入れる。
【図面の簡単な説明】
【０００８】
【図１Ａ】図１Ａは、本発明の一実施形態による注ぎ込み式フレームの斜視図であり、コーヒーの粉を入れたフィルターを保持している注ぎ込み式フレームを示す。
【図１Ｂ】図１Ｂは、本発明の一実施形態による注ぎ込み式フレームの斜視図であり、フィルターとコーヒーの粉が入っていない状態の注ぎ込み式フレームを示す。
【０００９】
【図２】図２は、本発明の一実施形態による、図１Ａおよび図１Ｂに示す注ぎ込み式フレームの底面図である。
【００１０】
【図３Ａ】図３Ａは、本発明の一実施形態による、図１Ａから図２に示した注ぎ込み式フレームの２つの装置を互いに結合して、注ぎ込み式フレームの一部分を形成した部分を示している。図３Ａは本発明の一実施形態による、結合の一例を示す図でありる。
【図３Ｂ】図３Ｂは、本発明の一実施形態による、図１Ａから図２に示した注ぎ込み式フレームの２つの装置を互いに結合して、注ぎ込み式フレームの一部分を形成した部分を示している。図３Ｂは本発明の一実施形態による、図３Ａに示した図に対して９０度の角度から見た結合の別の図である。
【００１１】
【図４】図４は、本発明の一実施形態による、図１Ａ〜３Ｂに示す装置の斜視図である。
【００１２】
【図５】図５は、本発明の一実施形態による、図４に示す装置の側面図である。
【００１３】
【図６】図６は、本発明の別の実施形態による図であり、互いに結合されて注ぎ込み式フレームの一部分を形成する、注ぎ込み式フレームの２つの装置の一部を示している。
【発明を実施するための形態】
【００１４】
図１Ａおよび図１Ｂのそれぞれは、本発明の一実施形態による注ぎ込み式フレーム１０の斜視図である。図１Ａは、コーヒーの粉１４を含むフィルター１２を保持している注ぎ込み式フレーム１０を示しており、図１Ｂは、フィルター１２およびコーヒーの粉１４のない注ぎ込み式フレーム１０を示している。注ぎ込み式フレーム１０は、コーヒーの粉１４を保持した状態で示されているが、注ぎ込み式フレーム１０は、人が水または他の液体を注いで飲み物、出汁またはシロップを形成する茶または他の製品を保持するために使用されてもよい。さらに、注ぎ込み式フレーム１０は、液体、粉末、および／または顆粒を容器に導くための、フィルター１２無しの漏斗として使用されてもよい。
【００１５】
注ぎ込み式フレーム１０は、図３Ａおよび図３Ｂに示すように、また、図３Ａおよび図３Ｂに関連してより詳細に議論されるように、それぞれが他のものに対応する装置１６（図４および図５に関連してより詳細に議論される）を一緒に結合することによって形成される。この実施形態および他の実施形態では、注ぎ込み式フレーム１０は、３つの同一の装置１６を一緒に結合することによって形成される。さらに他の実施形態では、注ぎ込み式フレーム１０は、互いに対応しているが同一ではない装置１６を結合することによって形成される。装置１６を一緒に結合するために、人は、隣接する装置１６のスロット２０を通して装置１６の舌部１８を挿入する。３つの装置１６が注ぎ込み式フレーム１０を形成するために使用される場合、第１の装置の舌部１８は、第２の装置１６のスロット２０を通して挿入され、第２の装置１６の舌部１８は、第３の装置１６のスロット２０を通して挿入され、第３の装置１６の舌部１８は、第１の装置１６のスロット２０を通して挿入される。このようにして、装置１６は、注ぎ込み式フレーム１０を形成するために互いに容易に結合することができ、注ぎ込み式フレーム１０を分解するために容易に結合を解除することができる。
【００１６】
装置１６が１つ以上の他の対応する装置１６と結合できることで、人は、飲むためのコーヒーを作りたいときに簡単に注ぎ込み式フレーム１０を形成することができ、終了時には注ぎ込み式フレーム１０を分解することができる。これにより、人は、旅行のために装置１６を容易に荷造りおよび／または保管することができ、これは、各装置１６がフラットまたは実質的にフラットなパネルである場合に特に当てはまる。コーヒーを飲みたいときには、装置１６を連結して注ぎ込み式フレーム１０を形成し、水を加熱し、注ぎ込み式フレーム１０に保持されたコーヒーの粉１４に加熱された水を注ぐことができる。終了したら、装置１６同士の連結を解除して、一緒に、または別々に、荷物の中に収納することができる。
【００１７】
図２は、本発明の一実施形態による、図１Ａおよび図１Ｂに示す注ぎ込み式フレーム１０の底面図である。
【００１８】
一旦形成された注ぎ込み式フレーム１０は、任意の所望の構成を有していてもよい。例えば、この実施形態および他の実施形態では、一旦形成された注ぎ込み式フレーム１０は、切頂四面体(truncated tetrahedron)−三角形の底面を持つ角錐（right frustum）の錐台、または、切り口が底面と平行になるように頂部が切り落とされた三角錐−のような形状をしている。より具体的には、一旦形成されると、注ぎ込み式フレーム１０は、開口部２４（図１Ｂにも、より明確に示されている）を有する上部２２（図１Ｂにも、より明確に示されている）と、開口部２８を有する下部２６と、注ぎ込み式フレーム１０がフィルターを保持するときにフィルター１２（図１Ａ）が保持される空洞３０（図１Ｂにも、より明確に示されている）とを含む。この構成では、注ぎ込み１０の上部２２の開口部２４が横たわる平面に対する各装置１６の傾きは、約６０度である。したがって、各装置１６は、各装置１６が互いに向かって延びる割合よりも約1.7倍大きい割合で、下部２６に向かって延びる。そして、装置１６の具体的な大きさ（図４および図５と併せてより詳細に議論される）については、注ぎ込みの下部２６の開口部２８の面積は、注ぎ込みの上部２２の開口部２４の面積の約10分の1である。
【００１９】
この構成では、空洞３０の容積は、注ぎ込みの下部の開口部２８と注ぎ込みの上部の開口部２４の面積に比べて比較的小さい。このため、水が注ぎ込みの空洞３０を流れる際に湯がコーヒーの粉に接触する時間が制限され、コーヒーの抽出の濃さが制限される傾向がある。コーヒー抽出を濃くするために、注ぎ込み１０の他の構成は、下部２６に向かって延びる割合が、互いに向かって延びる割合の1.7倍未満である装置１６を含んでもよい。さらに、または代わりに、注ぎ込み式フレームの下部２６の開口部２８の面積は、注ぎ込み式フレームの上部２２の開口部２４の面積の10分の1以下であってもよい。
【００２０】
他の実施形態も可能である。例えば、一旦形成された注ぎ込み式フレーム１０は、四角錐台、または、円形または楕円形の下部を有する円錐台のような形状であってもよい。別の例として、注ぎ込み式フレーム１０は、淹れられたコーヒーが注ぎ込み式フレーム１０から出ることができるように、１つ以上の穴が配置された床を形成する底部を有していてもよい。これは、湯がコーヒーの粉に接触する時間を実質的に増加させ、その結果、淹れられたコーヒーの濃さを増加させるために望ましい場合がある。
【００２１】
図３Ａおよび図３Ｂのそれぞれは、図１Ａ〜図２に示された注ぎ込み式フレーム１０の２つの装置１６ａおよび１６ｂが互いに結合されて注ぎ込み式フレーム１０の一部分を形成した部分を示しており、それぞれ本発明の実施形態によるものである。図３Ａは、結合の１つの図を示し、図３Ｂは、図３Ａに示された図に対して90度の角度からの結合の別の図を示しており、それぞれ本発明の実施形態によるものである。
【００２２】
装置１６は、装置１６を容易に結合および結合解除することができ、結合されている間は装置１６がフィルターおよびフィルターに保持された製品を水がその両方を流れる際に支持および保持することができるような、任意の所望の方法で一緒に結合されてもよい。例えば、この実施形態および他の実施形態において、装置１６ａおよび１６ｂは、装置１６ａの舌部１８を別の装置１６ｂのスロット２０に挿入することによって結合される。より具体的には、舌部１８は、ロック３２と、舌部のロック３２が装置１６ａの端部３６に沿って延びて装置１６ａにスロット３８を形成する領域３４とを含む。装置１６ａおよび１６ｂが結合されると、装置１６ａの舌のロック３２は、舌部の領域３４がスロット２０の内側に配置されるように、装置１６ｂのスロット２０を通って延び、一方、装置１６ｂのスロット２０の端部４０は、舌部のロック３２と装置１６ａの端部３６との間に配置される。装置１６ｂのスロット２０を介した舌部のロック３２の挿入を容易にするために、舌部１８のロック３２全体の厚さは、スロットの長さにすべて沿って装置１６ｂのスロット２０の幅よりも小さく、装置１６ａのスロット３８の幅は、装置１６ｂのスロット２０の端部４０の厚さよりも大きい。
【００２３】
この構成において、装置１６ａは、装置１６ａの端部３６が装置１６ｂのスロットの端部４０に接触したときに、装置１６ｂに対して方向４２ａ（図３Ａ）に相対的に移動することが防止され、装置１６ａの舌部のロック３２が装置１６ｂのスロットの端部４０に接触したときに、方向４２ｂ（図３Ａ）に移動することが阻止される。同様に、装置１６ｂは、ロックの領域３４が装置１６ｂのスロット２０の表面４６に接触すると、方向４４ａ（図３Ｂ）に装置１６ａに対して相対的に移動することが阻止され、ロックの領域３４が装置１６ｂのスロット２０の表面４８に接触すると、方向４４ｂ（図３Ｂ）に装置１６ａに対して相対的に移動することが阻止される。この構成では、方向４４ａ、４４ｂは、方向４２ａ、４２ｂと直交しており、４つの方向はすべて同一平面上にある。装置１６ｂがその上部にのっている容器（図示せず）と、装置１６ｂにかかる装置１６ａの重量は、４つの方向４２ａ、４２ｂ、４４ａ、４４ｂの平面に直交する方向への装置１６ａ、１６ｂの相対的な移動を阻止する。
【００２４】
他の実施形態も可能である。例えば、舌部１８のロック３２は、装置１６ａと１６ｂが結合されたときに、装置１６ｂのスロットの端部４０との接触を維持するように構成されていてもよい。このようにして、装置１６ａのロック３２および端部３６は、装置１６ｂのスロット２０の端部４０を挟み込む。これは、２つの装置１６ａ、１６ｂが結合されたときに、より確実に一緒に保持するために好ましい。しかし、このような挟み込みは、装置１６ａ、１６ｂの連結解除をより困難にし、その結果、このような装置１６ａ、１６ｂを含む注ぎ込み式フレーム１０の分解をより困難にすることもできる。
【００２５】
図４は、本発明の一実施形態による、図１Ａ〜図３Ｂに示す装置１６の斜視図である。図５は、本発明の一実施形態による、図４に示す装置１６の側面図である。前述したように、この実施形態および他の実施形態では、それぞれ同一の構成である図４および図５に示す装置１６の３つを結合して、図１Ａ〜図２に示す注ぎ込み式フレーム１０を形成している。しかし、他の実施形態では、構成が互いに対応しているが、互いに同一ではない３つの装置１６を一緒に結合して、注ぎ込み式フレーム１０を形成することもできる。
【００２６】
この実施形態および他の実施形態では、装置１６は、本体５２、第１の端部５４、第２の端部３６（図３Ａおよび３Ｂにも示されている）、上部５６および下部５８を有するパネル５０を含む。第１の端部５４は、第２の端部３６の反対側にあり、スロット２０を含み、第２の端部３６は、舌部１８を含む。パネル５０は、任意の構成であってもよく、任意の所望の材料を含んでもよい。例えば、この実施形態および他の実施形態では、パネル５０は長方形であり、第１の端部は上部５６および下部５８に対して直交または90度であり、第２の端部３６は90度以外の角度−平行四辺形または台形の辺と同様−になっている。他の実施形態では、パネル５０は、別の４辺の多角形、または、４つより少ないまたは多い辺を有する多角形として構成されてもよい。さらに、パネル５０は、端部３６および５４、上部５６、および下部５８のそれぞれが共に規定する２次元平面内以外の方向に湾曲していてもよく、つまり、パネル５０は、図４および図５に示すように、平面でなくてもよい。また、パネル５０は、スチール製であり、パネル５０が何度もの結合および結合解除や、コーヒーを淹れる使用時や、いつでもどこでも梱包、運搬される際に経験する物理的な消耗に耐える耐久性を備えている。他の実施形態では、パネル５０は、パネルが経験する消耗と、パネル５０がさらされる熱水からの熱とに耐えることができる任意の他の所望の材料、例えば、任意の他の金属、任意の所望のプラスチック、および／または任意の所望のゴムを含んでいてもよい。
【００２７】
パネル５０の本体５２は、任意の構成であってもよい。例えば、この実施形態および他の実施形態では、本体５２は、互いに平行な第１の側面６０および第２の側面６２を含み、それぞれが滑らかな表面を含んでいる。また、本体５２は、約10分の1インチの厚さを有している。他の実施形態では、本体５２は、上部５６と下部５８との間、およびまたは第１の端部５４と第２の端部３６との間の本体の範囲にわたって変化する厚さを有してもよい。さらにまたは代わりに、第１の側面６０は、装置の下部５８が他の２つの装置１６と規定する、注ぎ込み式フレーム１０（図１Ａ〜図２）の開口部２８（図２）の上方に位置するフィルターの領域を通る水の流れを促進するために、コーヒーフィルターの領域を表面６０から浮かせるのに役立つ溝を含んでもよい。このような溝は、パネルの上部５６からパネルの下部５８に向かう方向に対応する全般の方向に延びていてもよい。さらに、または代わりに、そのような溝は、パネルの第１の端部５４からパネルの第２の端部３６に向かう方向に対応する全般の方向に延びていてもよい。
【００２８】
なお、図４および図５を参照すると、パネルの上部５６および下部５８のそれぞれは、任意の構成であってもよい。例えば、この実施形態および他の実施形態では、パネルの上部５６は、直線に沿ってパネルの第１の端部５４と第２の端部３６との間に延びており、パネルの下部５８が第１の端部５４と第２の端部３６との間に延びる距離よりも大きい距離を有している。他の実施形態では、パネルの上部は、曲線に沿って、パネルの第１の端部５４と第２の端部３６との間で輪郭を描かれるか、または、延びることができる。パネルの下部５８は、装置１６が容器の上に配置されたときに、容器に接触するためのインターフェース６４を含む。より具体的には、インターフェース６４は、装置１６が他の装置１６と一緒に注ぎ込み式フレームを形成するときに、容器に挿入されるように構成された領域６４を含む。これは、人が注ぎ込み式フレームを使用している間に、注ぎ込み式フレームを容器の上の適切な位置に保持または固定するのに役立つ。
【００２９】
パネルの第１の端部５４および第２の端部３６のそれぞれは、任意の構成であってもよい。本実施形態の装置１６は、図３Ａおよび図３Ｂに示すように、他の２つの同一に構成された装置１６と結合されるように設計されているので、舌部１８から下部５８まで延びる第２の端部３６の部分は、第１の端部５４のスロット２０が下部５８に向かって延びるのと同じ角度θ、すなわち約60度で延びている。この実施形態および他の実施形態では、第１の端部５４のスロット２０は、パネル５０の上部５６に入口を有し、直線に沿ってパネルの第２の端部３６および下部５８に向かって延びている。他の実施形態では、スロット２０は、第１の端部５４に入口を有していてもよく、あるいは、上部５６と第１の端部５４のいずれにも入口を有していなくてもよい。さらにまたは代わりに、スロット２０は、６０度以外の角度θで第２の端部３６および下部５８に向かって延びていてもよい。さらに、または代わりに、スロット２０は、直線ではなく曲線に沿って延びていてもよい。同様に、第２の端部３６は、スロット２０の構成と一致するように構成された舌部１８を含み、舌部１８から下部５８まで延びる第２の端部３６の部分全体が、舌部１８が結合された装置１６の側面６０または６２のいずれかに接触するように構成されている。他の実施形態では、舌部１８が別の装置１６と結合されるときに、この部分の領域のみが、側面６０または６２のいずれかに接触してもよい。さらに、または代わりに、第２の端部３６は、舌部１８が別の装置１６と結合されたときに、舌部１８の全体ではなく一部がスロット２０を通って延びるように構成されてもよい。
【００３０】
図６は、本発明の別の実施形態による、互いに結合されて注ぎ込み式フレームの一部分を形成する注ぎ込み式フレーム１０の２つの装置１６の一部分を示す図である。この実施形態は、スロット７０が、スロット７０の端部７４に隣接して配置された穴７２を含み、舌部７８のロック部７６が、装置１６が互いに結合されたときに穴７２内に延びるような大きさおよび構成の先端部８０を含むことを除いて、図１Ａ〜図５と併せて説明した実施形態と同様である。このようにして、２つの装置１６は、より確実に互いに結合され得る。
【００３１】
前述の議論は、当業者が本発明を作り、使用することを可能にするために提示されている。実施形態に対する様々な変更は、当業者には容易に明らかになるであろうし、本明細書の一般的な原理は、本発明の精神および範囲から逸脱することなく、他の実施形態および用途に適用することができる。したがって、本発明は、示された実施形態に限定されることを意図するものではなく、本明細書に開示された原理および特徴と一致する最も広い範囲が与えられるべきである。
【図１Ａ】
2021536297.tif 000003
【図１Ｂ】
2021536297.tif 000004
【図２】
2021536297.tif 000005
【図３Ａ】
2021536297.tif 000006
【図３Ｂ】
2021536297.tif 000007
【図４】
2021536297.tif 000008
【図５】
2021536297.tif 000009
【図６】
2021536297.tif 000010
【国際調査報告】
2021536297.tif 000011